(57)【要約】【課題】他のユーザの端末に登録されているブックマークを自分の端末に取り込んで登録，使用する。【解決手段】ブックマーク提供ユーザ端末１０は内部に格納されたブックマークをブックマーク管理サーバ３０に送信，登録し、ブックマーク管理サーバ３０は提供ユーザ毎に登録されたブックマークをＷebサイトで公開し、ブックマーク取得ユーザ端末２０から提供ユーザを指定して取得要求があった場合に該当ブックマークを抽出して送信する。【選択図】      図１
2008171295.tif 000002
【特許請求の範囲】
【請求項１】
ネットワークを介して接続される提供ユーザ端末と取得ユーザ端末と管理サーバとを備えたブックマーク提供システムであって、
前記提供ユーザ端末は、登録要求操作があったときに内部メモリに格納されているブックマークを抽出しブックマーク選択画面を生成，表示する手段と、登録操作があったときに前記選択画面において提供ユーザにより選択されたブックマークのファイルを提供ユーザ識別情報とともに前記管理サーバに送信する手段とを有し、
前記取得ユーザ端末は、前記管理サーバにブックマーク取得要求を送信して提供ユーザ一覧画面を受信，表示する手段と、前記一覧画面において取得ユーザから選択された提供ユーザ識別情報を前記管理サーバに送信し、前記管理サーバから受信したブックマーク画面を受信，表示する手段と、前記ブックマーク画面において取得操作があったときに取得情報を前記管理サーバに送信する手段と、前記管理サーバから受信したブックマークファイルを登録する手段とを有し、
前記管理サーバは、前記提供ユーザ端末から受信したブックマークファイルを提供ユーザ識別情報対応に登録する手段と、前記ブックマーク取得要求を受信して提供ユーザ一覧画面を前記取得ユーザ端末に送信する手段と、前記一覧画面で取得ユーザから選択された提供ユーザ識別情報を受信したときに対応して登録されているブックマークを抽出しブックマーク画面を生成して前記取得ユーザ端末に送信する手段と、前記取得情報を受信したときに前記ブックマーク画面に含まれているブックマークのファイルを抽出して前記取得ユーザ端末に送信する手段とを有することを特徴とするブックマーク提供システム。
【請求項２】
ネットワークを介して接続される提供ユーザ端末と取得ユーザ端末と管理サーバとを備えたブックマーク提供システムであって、
前記提供ユーザ端末は、登録要求操作があったときに内部メモリに格納されているブックマークを抽出しブックマーク選択画面を生成，表示する手段と、登録操作があったときに前記選択画面において提供ユーザにより選択されたブックマークのファイルを提供ユーザ識別情報とともに前記管理サーバに送信する手段とを有し、
前記取得ユーザ端末は、前記管理サーバにブックマーク取得要求を送信して提供ユーザ一覧画面を受信，表示する手段と、前記一覧画面において取得ユーザから選択された提供ユーザ識別情報と有名ブックマーク要，不要情報を前記管理サーバに送信し、前記管理サーバから受信したブックマーク画面を表示する手段と、前記ブックマーク画面において取得操作があったときに取得情報を前記管理サーバに送信する手段と、前記管理サーバから受信したブックマークファイルを登録する手段とを有し、
前記管理サーバは、前記提供ユーザ端末から受信したブックマークファイルを提供ユーザ識別情報対応に登録する手段と、ブックマーク毎の登録累積数と登録率を格納したデータベースと、前記提供ユーザ端末からブックマーク登録がある度に受信したブックマークを前記データベースに追加登録するとともに、追加登録後の全てのブックマーク毎に最新の登録率を算出して更新する手段と、前記ブックマーク取得要求を受信して提供ユーザ一覧画面を前記取得ユーザ端末に送信する手段と、前記提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記データベースから取得し、登録率が所定値以上のブックマークについては有名ブックマークとして前記抽出されたブックマークから除外する手段と、除外後に残ったブックマークのブックマーク画面を生成して前記取得ユーザ端末に送信する手段と、前記取得情報を受信したときに前記ブックマーク画面に含まれているブックマークのファイルを抽出して前記取得ユーザ端末に送信する手段とを有することを特徴とするブックマーク提供システム。
【請求項３】
ネットワークを介して接続される提供ユーザ端末と取得ユーザ端末と管理サーバとを備えたブックマーク提供システムであって、
前記提供ユーザ端末は、登録要求操作があったときに内部メモリに格納されているブックマークを抽出しブックマーク選択画面を生成，表示する手段と、登録操作があったときに前記選択画面において提供ユーザにより選択されたブックマークのファイルを提供ユーザ識別情報とともに前記管理サーバに送信する手段とを有し、
前記取得ユーザ端末は、前記管理サーバにブックマーク取得要求を取得ユーザ識別情報とともに送信して提供ユーザ一覧画面を受信，表示する手段と、前記一覧画面において取得ユーザから選択された提供ユーザ識別情報を前記管理サーバに送信し、前記管理サーバから受信したブックマーク画面を表示する手段と、前記ブックマーク画面において取得操作があったときに取得情報を前記管理サーバに送信する手段と、前記管理サーバから受信したブックマークファイルを登録する手段とを有し、
前記管理サーバは、前記提供ユーザ端末から受信したブックマークファイルを提供ユーザ識別情報対応に登録する手段と、前記ブックマーク取得要求と取得ユーザ識別情報を受信して提供ユーザ一覧画面を前記取得ユーザ端末に送信する手段と、各取得ユーザが既に保有しているブックマークを取得ユーザ識別情報対応に予め登録しているデータベースと、前記一覧画面で取得ユーザから選択された提供ユーザ識別情報を受信したときに、前記提供ユーザ識別情報対応に登録されているブックマークを抽出するとともに、抽出されたブックマークが前記取得ユーザ識別情報対応に前記データベースに登録されているかを照合し、登録されていたブックマークについては取得ユーザ保有ブックマークとして前記抽出されたブックマークから除外する手段と、除外後に残ったブックマークのブックマーク画面を生成して前記取得ユーザ端末に送信する手段と、前記取得情報を受信したときに前記ブックマーク画面に含まれているブックマークのファイルを抽出して前記取得ユーザ端末に送信する手段とを有することを特徴とするブックマーク提供システム。
【請求項４】
ネットワークを介して接続される提供ユーザ端末と取得ユーザ端末と管理サーバとを備えたブックマーク提供システムであって、
前記提供ユーザ端末は、登録要求操作があったときに内部メモリに格納されているブックマークを抽出しブックマーク選択画面を生成，表示する手段と、登録操作があったときに前記選択画面において提供ユーザにより選択されたブックマークのファイルを提供ユーザ識別情報とともに前記管理サーバに送信する手段とを有し、
前記取得ユーザ端末は、前記管理サーバにブックマーク取得要求を取得ユーザ識別情報とともに送信して提供ユーザ一覧画面を受信，表示する手段と、前記一覧画面において取得ユーザから選択された提供ユーザ識別情報と有名ブックマーク要，不要情報を前記管理サーバに送信し、前記管理サーバから受信したブックマーク画面を表示する手段と、前記ブックマーク画面において取得操作があったときに取得情報を前記管理サーバに送信する手段と、前記管理サーバから受信したブックマークファイルを登録する手段とを有し、
前記管理サーバは、ブックマーク毎の登録累積数と登録率を格納した第１のデータベースと、各取得ユーザが既に保有しているブックマークを取得ユーザ識別情報対応に予め登録している第２のデータベースと、前記提供ユーザ端末から受信したブックマークファイルを提供ユーザ識別情報対応に登録する手段と、前記提供ユーザ端末からブックマーク登録がある度に受信したブックマークを前記第１のデータベースに追加登録するとともに、追加登録後の全てのブックマーク毎に最新の登録率を算出して更新する手段と、前記ブックマーク取得要求と取得ユーザ識別情報を受信して提供ユーザ一覧画面を前記取得ユーザ端末に送信する手段と、前記提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記第１のデータベースから取得し、登録率が所定値以上のブックマークについては有名ブックマークと識別する手段と、前記抽出されたブックマークが前記取得ユーザ識別情報対応に前記第２のデータベースに登録されているかを照合し、登録されていたブックマークについては取得ユーザ保有ブックマークと識別する手段と、前記有名ブックマークと前記取得ユーザ保有ブックマークを前記抽出されたブックマークから除外する手段と、除外後に残ったブックマークのブックマーク画面を生成して前記取得ユーザ端末に送信する手段と、前記取得情報を受信したときに前記ブックマーク画面に含まれているブックマークのファイルを抽出して前記取得ユーザ端末に送信する手段とを有することを特徴とするブックマーク提供システム。
【請求項５】
前記管理サーバは、ブックマーク提供ユーザおよびブックマーク取得ユーザの決済情報を予め登録しておき、ブックマークの取得が行われたときにブックマーク取得ユーザから所定の料金を徴収しブックマーク提供ユーザに支払う手段をさらに有することを特徴とする請求項１，２，３または４記載のブックマーク提供システム。
【請求項６】
前記提供ユーザ端末から前記管理サーバ、前記管理サーバから前記取得ユーザ端末への前記ブックマークファイルの送受信にあたり、送信側においてはブックマークのファイルを一つのファイルにまとめて圧縮して送信し、受信側においては圧縮されたファイルを展開して登録することを特徴とする請求項１〜５のいずれか１項記載のブックマーク提供システム。
【請求項７】
提供ユーザ端末と取得ユーザ端末とに接続される管理サーバであって、
前記提供ユーザ端末から受信したブックマークファイルを提供ユーザ識別情報対応に登録する手段と、前記取得ユーザ端末からブックマーク取得要求を受信して提供ユーザ一覧画面を送信する手段と、前記一覧画面で取得ユーザから選択された提供ユーザ識別情報を受信したときに対応して登録されているブックマークを抽出しブックマーク画面を生成して前記取得ユーザ端末に送信する手段と、前記取得ユーザ端末から取得情報を受信したときに前記ブックマーク画面に含まれているブックマークのファイルを抽出して送信する手段とを有することを特徴とする管理サーバ。
【請求項８】
提供ユーザ端末と取得ユーザ端末とに接続される管理サーバであって、
前記提供ユーザ端末から受信したブックマークファイルを提供ユーザ識別情報対応に登録する手段と、ブックマーク毎の登録累積数と登録率を格納したデータベースと、前記提供ユーザ端末からブックマーク登録がある度に受信したブックマークを前記データベースに追加登録するとともに、追加登録後の全てのブックマーク毎に最新の登録率を算出して更新する手段と、前記取得ユーザ端末からブックマーク取得要求を受信して提供ユーザ一覧画面を送信する手段と、前記取得ユーザ端末から提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記データベースから取得し、登録率が所定値以上のブックマークについては有名ブックマークとして前記抽出されたブックマークから除外する手段と、除外後に残ったブックマークのブックマーク画面を生成して前記取得ユーザ端末に送信する手段と、前記取得ユーザ端末から取得情報を受信したときに前記ブックマーク画面に含まれているブックマークのファイルを抽出して送信する手段とを有することを特徴とする管理サーバ。
【請求項９】
提供ユーザ端末と取得ユーザ端末とに接続される管理サーバであって、
前記提供ユーザ端末から受信したブックマークファイルを提供ユーザ識別情報対応に登録する手段と、前記取得ユーザ端末からブックマーク取得要求と取得ユーザ識別情報を受信して提供ユーザ一覧画面を送信する手段と、各取得ユーザが既に保有しているブックマークを取得ユーザ識別情報対応に予め登録しているデータベースと、前記一覧画面で取得ユーザから選択された提供ユーザ識別情報を受信したときに、前記提供ユーザ識別情報対応に登録されているブックマークを抽出するとともに、抽出されたブックマークが前記取得ユーザ識別情報対応に前記データベースに登録されているかを照合し、登録されていたブックマークについては取得ユーザ保有ブックマークとして前記抽出されたブックマークから除外する手段と、除外後に残ったブックマークのブックマーク画面を生成して前記取得ユーザ端末に送信する手段と、前記取得ユーザ端末から取得情報を受信したときに前記ブックマーク画面に含まれているブックマークのファイルを抽出して送信する手段とを有することを特徴とする管理サーバ。
【請求項１０】
提供ユーザ端末と取得ユーザ端末とに接続される管理サーバであって、
ブックマーク毎の登録累積数と登録率を格納した第１のデータベースと、各取得ユーザが既に保有しているブックマークを取得ユーザ識別情報対応に予め登録している第２のデータベースと、前記提供ユーザ端末から受信したブックマークファイルを提供ユーザ識別情報対応に登録する手段と、前記提供ユーザ端末からブックマーク登録がある度に受信したブックマークを前記第１のデータベースに追加登録するとともに、追加登録後の全てのブックマーク毎に最新の登録率を算出して更新する手段と、前記取得ユーザ端末からブックマーク取得要求と取得ユーザ識別情報を受信して提供ユーザ一覧画面を送信する手段と、前記取得ユーザ端末から提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記第１のデータベースから取得し、登録率が所定値以上のブックマークについては有名ブックマークと識別する手段と、前記抽出されたブックマークが前記取得ユーザ識別情報対応に前記第２のデータベースに登録されているかを照合し、登録されていたブックマークについては取得ユーザ保有ブックマークと識別する手段と、前記有名ブックマークと前記取得ユーザ保有ブックマークを前記抽出されたブックマークから除外する手段と、除外後に残ったブックマークのブックマーク画面を生成して前記取得ユーザ端末に送信する手段と、前記取得ユーザ端末から取得情報を受信したときに前記ブックマーク画面に含まれているブックマークのファイルを抽出して送信する手段とを有することを特徴とする管理サーバ。
【請求項１１】
提供ユーザ端末と取得ユーザ端末と管理サーバとを用いたブックマーク提供方法であって、
前記提供ユーザ端末は内部に格納されたブックマークを前記管理サーバに送信，登録し、前記管理サーバは提供ユーザ毎に登録されたブックマークをＷebサイトで公開し、前記取得ユーザ端末から提供ユーザを指定して取得要求があった場合に該当ブックマークを抽出して送信することを特徴とするブックマーク提供方法。
【請求項１２】
前記管理サーバは前記提供ユーザ端末からブックマーク登録がある度にブックマーク毎の登録累積数と登録率を算出，更新し、前記取得ユーザ端末は前記取得要求時に有名ブックマーク要，不要情報を前記管理サーバに送信し、前記管理サーバは有名ブックマーク不要情報受信時に、前記抽出したブックマークの登録率が所定値以上かを確認し、所定値以上のブックマークは有名ブックマークとして前記抽出されたブックマークから除外し、除外後に残ったブックマークを前記取得ユーザ端末に送信することを特徴とする請求項１１記載のブックマーク提供方法。
【請求項１３】
前記管理サーバは前記取得ユーザ端末が保有しているブックマークをユーザ別に予め登録しておき、前記取得要求があったときに抽出されたブックマークの中に取得ユーザの保有ブックマークがあるかを照合し、あった場合は前記抽出されたブックマークから除外し、除外後に残ったブックマークを前記取得ユーザ端末に送信することを特徴とする請求項１１記載のブックマーク提供方法。
【請求項１４】
前記管理サーバは前記取得ユーザ端末が保有しているブックマークをユーザ別に予め登録しておき、前記提供ユーザ端末からブックマーク登録がある度にブックマーク毎の登録累積数と登録率を算出，更新し、前記取得ユーザ端末は前記取得要求時に有名ブックマーク要，不要情報を前記管理サーバに送信し、前記管理サーバは有名ブックマーク不要情報受信時に、前記抽出したブックマークの登録率が所定値以上かを確認し、所定値以上のブックマークは有名ブックマークとして除外するとともに、前記抽出したブックマークの中に取得ユーザの保有ブックマークがあった場合は除外し、前記抽出したブックマークから有名ブックマーク，ユーザ保有ブックマークを除外した残りのブックマークを前記取得ユーザ端末に送信することを特徴とする請求項１１記載のブックマーク提供方法。
【請求項１５】
第１の端末から受信したブックマークファイルを提供ユーザ識別情報対応に登録する機能、第２の端末からブックマーク取得要求を受信して提供ユーザ一覧画面を送信する機能、前記一覧画面で取得ユーザから選択された提供ユーザ識別情報を受信したときに対応して登録されているブックマークを抽出しブックマーク画面を生成して前記第２の端末に送信する機能、前記第２の端末から取得情報を受信したときに前記ブックマーク画面に含まれているブックマークのファイルを抽出して送信する機能、をコンピュータに実現させるためのプログラム。
【請求項１６】
第１の端末から受信したブックマークファイルを提供ユーザ識別情報対応に登録する機能、ブックマーク毎の登録累積数と登録率をデータベースに格納する機能、前記第１の端末からブックマーク登録がある度に受信したブックマークを前記データベースに追加登録するとともに、追加登録後の全てのブックマーク毎に最新の登録率を算出して更新する機能、第２の端末からブックマーク取得要求を受信して提供ユーザ一覧画面を送信する機能、前記第２の端末から提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記データベースから取得し、登録率が所定値以上のブックマークについては有名ブックマークとして前記抽出されたブックマークから除外する機能、除外後に残ったブックマークのブックマーク画面を生成して前記第２の端末に送信する機能、前記第２の端末から取得情報を受信したときに前記ブックマーク画面に含まれているブックマークのファイルを抽出して送信する機能、をコンピュータに実現させるためのプログラム。
【請求項１７】
第１の端末から受信したブックマークファイルを提供ユーザ識別情報対応に登録する機能、第２の端末からブックマーク取得要求と取得ユーザ識別情報を受信して提供ユーザ一覧画面を送信する機能、各取得ユーザが既に保有しているブックマークを取得ユーザ識別情報対応にデータベースに登録する機能、前記一覧画面で取得ユーザから選択された提供ユーザ識別情報を受信したときに、前記提供ユーザ識別情報対応に登録されているブックマークを抽出するとともに、抽出されたブックマークが前記取得ユーザ識別情報対応に前記データベースに登録されているかを照合し、登録されていたブックマークについては取得ユーザ保有ブックマークとして前記抽出されたブックマークから除外する機能、除外後に残ったブックマークのブックマーク画面を生成して前記第２の端末に送信する機能、前記第２の端末から取得情報を受信したときに前記ブックマーク画面に含まれているブックマークのファイルを抽出して送信する機能、をコンピュータに実現させるためのプログラム。
【請求項１８】
ブックマーク毎の登録累積数と登録率を第１のデータベースに格納する機能、各取得ユーザが既に保有しているブックマークを取得ユーザ識別情報対応に第２のデータベースに登録する機能、第１の端末から受信したブックマークファイルを提供ユーザ識別情報対応に登録する機能、前記第１の端末からブックマーク登録がある度に受信したブックマークを前記第１のデータベースに追加登録するとともに、追加登録後の全てのブックマーク毎に最新の登録率を算出して更新する機能、第２の端末からブックマーク取得要求と取得ユーザ識別情報を受信して提供ユーザ一覧画面を送信する機能、前記第２の端末から提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記第１のデータベースから取得し、登録率が所定値以上のブックマークについては有名ブックマークと識別する機能、前記抽出されたブックマークが前記取得ユーザ識別情報対応に前記第２のデータベースに登録されているかを照合し、登録されていたブックマークについては取得ユーザ保有ブックマークと識別する機能、前記有名ブックマークと前記取得ユーザ保有ブックマークを前記抽出されたブックマークから除外する機能、除外後に残ったブックマークのブックマーク画面を生成して前記第２の端末に送信する機能、前記第２の端末から取得情報を受信したときに前記ブックマーク画面に含まれているブックマークのファイルを抽出して送信する機能、をコンピュータに実現させるためのプログラム。
【発明の詳細な説明】
【技術分野】
【０００１】
本発明は、ネットワークを介してブックマークを提供するブックマーク提供システム，管理サーバ，ブックマーク提供方法およびプログラムに関する。
【背景技術】
【０００２】
ユーザ端末からインターネット上の所定のＷebサイトにアクセスするためには、サイトのアドレスであるＵＲＬ(Uniform Resource Locator)を入力する必要がある。しかし、アクセスの度にＵＲＬを入力することは煩雑であるため、何度も訪れるサイトのＵＲＬについては予め登録しておき、登録されたＵＲＬ（登録されたＵＲＬをブックマークという）を選択することで目的のサイトにアクセスしていた。
【０００３】
しかし、このブックマークは各ユーザがユーザ端末に登録しているため、他の人がどのようなブックマークを登録しているのかを知る術はなかった。これに対し、他の人のブックマークを参照可能にした例が特開２００１−３５７０５５号公報（特許文献１）に開示されている。この特許文献１においては、
・ユーザ端末に登録されているブックマークを付加情報（カテゴリー，タイトル等）とともにブックマーク管理システムに送信して登録し、
・ユーザ端末から各ブックマークの公開，非公開を設定し、
・ブックマーク管理システムは、公開と設定されたブックマークをカテゴリー別に分類して登録し、
・検索時には、ユーザ端末からブックマーク管理システムにカテゴリー（例えば、「釣り」）を送信して検索要求を行い、
・ブックマーク管理システムは、指定されたカテゴリーの「釣り」対応に登録されたブックマークを検索して検索結果を表示する、
ことが記載されている。
【０００４】
【特許文献１】特開２００１−３５７０５５号公報（段落「００６５」、「００７３」、「００７６」〜「００７８」）
【発明の開示】
【発明が解決しようとする課題】
【０００５】
上述した特許文献１においては、他のユーザのブックマークを検索することは可能であるが、検索結果を単に表示するだけであるため、他のユーザのブックマークを自分のユーザ端末に自動的に取り込んで登録，使用することはできないという問題がある。
【０００６】
また、上述した特許文献１においては、全てのユーザのブックマークをカテゴリー別に登録し、カテゴリーによる検索のみを行っている。このため、例えば、著名人の○○さんが登録しているブックマークを取得したい、といった属人的なブックマーク検索や取得はできないという問題がある。換言すれば、ブックマーク運営業者が芸能人，スポーツ選手等の著名人をブックマーク提供者として登録することによりブックマークの付加価値を高め、有料にてブックマークを提供するようなビジネスには対応できないという問題がある。
【０００７】
本発明の目的は、以上の課題を解決するブックマーク提供システム，管理サーバ，ブックマーク提供方法およびプログラムを提供することにある。
【課題を解決するための手段】
【０００８】
本発明の第１のブックマーク提供システムは、ネットワークを介して接続される提供ユーザ端末と取得ユーザ端末と管理サーバとを備えたブックマーク提供システムであって、
前記提供ユーザ端末は、登録要求操作があったときに内部メモリに格納されているブックマークを抽出しブックマーク選択画面を生成，表示する手段と、登録操作があったときに前記選択画面において提供ユーザにより選択されたブックマークのファイルを提供ユーザ識別情報とともに前記管理サーバに送信する手段とを有し、
前記取得ユーザ端末は、前記管理サーバにブックマーク取得要求を送信して提供ユーザ一覧画面を受信，表示する手段と、前記一覧画面において取得ユーザから選択された提供ユーザ識別情報を前記管理サーバに送信し、前記管理サーバから受信したブックマーク画面を受信，表示する手段と、前記ブックマーク画面において取得操作があったときに取得情報を前記管理サーバに送信する手段と、前記管理サーバから受信したブックマークファイルを登録する手段とを有し、
前記管理サーバは、前記提供ユーザ端末から受信したブックマークファイルを提供ユーザ識別情報対応に登録する手段と、前記ブックマーク取得要求を受信して提供ユーザ一覧画面を前記取得ユーザ端末に送信する手段と、前記一覧画面で取得ユーザから選択された提供ユーザ識別情報を受信したときに対応して登録されているブックマークを抽出しブックマーク画面を生成して前記取得ユーザ端末に送信する手段と、前記取得情報を受信したときに前記ブックマーク画面に含まれているブックマークのファイルを抽出して前記取得ユーザ端末に送信する手段とを有する。
【０００９】
本発明の第２のブックマーク提供システムは、ネットワークを介して接続される提供ユーザ端末と取得ユーザ端末と管理サーバとを備えたブックマーク提供システムであって、
前記提供ユーザ端末は、登録要求操作があったときに内部メモリに格納されているブックマークを抽出しブックマーク選択画面を生成，表示する手段と、登録操作があったときに前記選択画面において提供ユーザにより選択されたブックマークのファイルを提供ユーザ識別情報とともに前記管理サーバに送信する手段とを有し、
前記取得ユーザ端末は、前記管理サーバにブックマーク取得要求を送信して提供ユーザ一覧画面を受信，表示する手段と、前記一覧画面において取得ユーザから選択された提供ユーザ識別情報と有名ブックマーク要，不要情報を前記管理サーバに送信し、前記管理サーバから受信したブックマーク画面を表示する手段と、前記ブックマーク画面において取得操作があったときに取得情報を前記管理サーバに送信する手段と、前記管理サーバから受信したブックマークファイルを登録する手段とを有し、
前記管理サーバは、前記提供ユーザ端末から受信したブックマークファイルを提供ユーザ識別情報対応に登録する手段と、ブックマーク毎の登録累積数と登録率を格納したデータベースと、前記提供ユーザ端末からブックマーク登録がある度に受信したブックマークを前記データベースに追加登録するとともに、追加登録後の全てのブックマーク毎に最新の登録率を算出して更新する手段と、前記ブックマーク取得要求を受信して提供ユーザ一覧画面を前記取得ユーザ端末に送信する手段と、前記提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記データベースから取得し、登録率が所定値以上のブックマークについては有名ブックマークとして前記抽出されたブックマークから除外する手段と、除外後に残ったブックマークのブックマーク画面を生成して前記取得ユーザ端末に送信する手段と、前記取得情報を受信したときに前記ブックマーク画面に含まれているブックマークのファイルを抽出して前記取得ユーザ端末に送信する手段とを有する。
【００１０】
本発明の第３のブックマーク提供システムは、ネットワークを介して接続される提供ユーザ端末と取得ユーザ端末と管理サーバとを備えたブックマーク提供システムであって、
前記提供ユーザ端末は、登録要求操作があったときに内部メモリに格納されているブックマークを抽出しブックマーク選択画面を生成，表示する手段と、登録操作があったときに前記選択画面において提供ユーザにより選択されたブックマークのファイルを提供ユーザ識別情報とともに前記管理サーバに送信する手段とを有し、
前記取得ユーザ端末は、前記管理サーバにブックマーク取得要求を取得ユーザ識別情報とともに送信して提供ユーザ一覧画面を受信，表示する手段と、前記一覧画面において取得ユーザから選択された提供ユーザ識別情報を前記管理サーバに送信し、前記管理サーバから受信したブックマーク画面を表示する手段と、前記ブックマーク画面において取得操作があったときに取得情報を前記管理サーバに送信する手段と、前記管理サーバから受信したブックマークファイルを登録する手段とを有し、
前記管理サーバは、前記提供ユーザ端末から受信したブックマークファイルを提供ユーザ識別情報対応に登録する手段と、前記ブックマーク取得要求と取得ユーザ識別情報を受信して提供ユーザ一覧画面を前記取得ユーザ端末に送信する手段と、各取得ユーザが既に保有しているブックマークを取得ユーザ識別情報対応に予め登録しているデータベースと、前記一覧画面で取得ユーザから選択された提供ユーザ識別情報を受信したときに、前記提供ユーザ識別情報対応に登録されているブックマークを抽出するとともに、抽出されたブックマークが前記取得ユーザ識別情報対応に前記データベースに登録されているかを照合し、登録されていたブックマークについては取得ユーザ保有ブックマークとして前記抽出されたブックマークから除外する手段と、除外後に残ったブックマークのブックマーク画面を生成して前記取得ユーザ端末に送信する手段と、前記取得情報を受信したときに前記ブックマーク画面に含まれているブックマークのファイルを抽出して前記取得ユーザ端末に送信する手段とを有する。
【００１１】
本発明の第４のブックマーク提供システムは、ネットワークを介して接続される提供ユーザ端末と取得ユーザ端末と管理サーバとを備えたブックマーク提供システムであって、
前記提供ユーザ端末は、登録要求操作があったときに内部メモリに格納されているブックマークを抽出しブックマーク選択画面を生成，表示する手段と、登録操作があったときに前記選択画面において提供ユーザにより選択されたブックマークのファイルを提供ユーザ識別情報とともに前記管理サーバに送信する手段とを有し、
前記取得ユーザ端末は、前記管理サーバにブックマーク取得要求を取得ユーザ識別情報とともに送信して提供ユーザ一覧画面を受信，表示する手段と、前記一覧画面において取得ユーザから選択された提供ユーザ識別情報と有名ブックマーク要，不要情報を前記管理サーバに送信し、前記管理サーバから受信したブックマーク画面を表示する手段と、前記ブックマーク画面において取得操作があったときに取得情報を前記管理サーバに送信する手段と、前記管理サーバから受信したブックマークファイルを登録する手段とを有し、
前記管理サーバは、ブックマーク毎の登録累積数と登録率を格納した第１のデータベースと、各取得ユーザが既に保有しているブックマークを取得ユーザ識別情報対応に予め登録している第２のデータベースと、前記提供ユーザ端末から受信したブックマークファイルを提供ユーザ識別情報対応に登録する手段と、前記提供ユーザ端末からブックマーク登録がある度に受信したブックマークを前記第１のデータベースに追加登録するとともに、追加登録後の全てのブックマーク毎に最新の登録率を算出して更新する手段と、前記ブックマーク取得要求と取得ユーザ識別情報を受信して提供ユーザ一覧画面を前記取得ユーザ端末に送信する手段と、前記提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記第１のデータベースから取得し、登録率が所定値以上のブックマークについては有名ブックマークと識別する手段と、前記抽出されたブックマークが前記取得ユーザ識別情報対応に前記第２のデータベースに登録されているかを照合し、登録されていたブックマークについては取得ユーザ保有ブックマークと識別する手段と、前記有名ブックマークと前記取得ユーザ保有ブックマークを前記抽出されたブックマークから除外する手段と、除外後に残ったブックマークのブックマーク画面を生成して前記取得ユーザ端末に送信する手段と、前記取得情報を受信したときに前記ブックマーク画面に含まれているブックマークのファイルを抽出して前記取得ユーザ端末に送信する手段とを有する。
【００１２】
本発明の第５のブックマーク提供システムは、本発明の第１，第２，第３または第４のブックマーク提供システムにおいて、前記管理サーバは、ブックマーク提供ユーザおよびブックマーク取得ユーザの決済情報を予め登録しておき、ブックマークの取得が行われたときにブックマーク取得ユーザから所定の料金を徴収しブックマーク提供ユーザに支払う手段をさらに有する。
【００１３】
本発明の第６のブックマーク提供システムは、本発明の第１〜第５のいずれかのブックマーク提供システムにおいて、前記提供ユーザ端末から前記管理サーバ、前記管理サーバから前記取得ユーザ端末への前記ブックマークファイルの送受信にあたり、送信側においてはブックマークのファイルを一つのファイルにまとめて圧縮して送信し、受信側においては圧縮されたファイルを展開して登録することを特徴とする。
【００１４】
本発明の第１の管理サーバは、提供ユーザ端末と取得ユーザ端末とに接続される管理サーバであって、
前記提供ユーザ端末から受信したブックマークファイルを提供ユーザ識別情報対応に登録する手段と、前記取得ユーザ端末からブックマーク取得要求を受信して提供ユーザ一覧画面を送信する手段と、前記一覧画面で取得ユーザから選択された提供ユーザ識別情報を受信したときに対応して登録されているブックマークを抽出しブックマーク画面を生成して前記取得ユーザ端末に送信する手段と、前記取得ユーザ端末から取得情報を受信したときに前記ブックマーク画面に含まれているブックマークのファイルを抽出して送信する手段とを有する。
【００１５】
本発明の第２の管理サーバは、提供ユーザ端末と取得ユーザ端末とに接続される管理サーバであって、
前記提供ユーザ端末から受信したブックマークファイルを提供ユーザ識別情報対応に登録する手段と、ブックマーク毎の登録累積数と登録率を格納したデータベースと、前記提供ユーザ端末からブックマーク登録がある度に受信したブックマークを前記データベースに追加登録するとともに、追加登録後の全てのブックマーク毎に最新の登録率を算出して更新する手段と、前記取得ユーザ端末からブックマーク取得要求を受信して提供ユーザ一覧画面を送信する手段と、前記取得ユーザ端末から提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記データベースから取得し、登録率が所定値以上のブックマークについては有名ブックマークとして前記抽出されたブックマークから除外する手段と、除外後に残ったブックマークのブックマーク画面を生成して前記取得ユーザ端末に送信する手段と、前記取得ユーザ端末から取得情報を受信したときに前記ブックマーク画面に含まれているブックマークのファイルを抽出して送信する手段とを有する。
【００１６】
本発明の第３の管理サーバは、提供ユーザ端末と取得ユーザ端末とに接続される管理サーバであって、
前記提供ユーザ端末から受信したブックマークファイルを提供ユーザ識別情報対応に登録する手段と、前記取得ユーザ端末からブックマーク取得要求と取得ユーザ識別情報を受信して提供ユーザ一覧画面を送信する手段と、各取得ユーザが既に保有しているブックマークを取得ユーザ識別情報対応に予め登録しているデータベースと、前記一覧画面で取得ユーザから選択された提供ユーザ識別情報を受信したときに、前記提供ユーザ識別情報対応に登録されているブックマークを抽出するとともに、抽出されたブックマークが前記取得ユーザ識別情報対応に前記データベースに登録されているかを照合し、登録されていたブックマークについては取得ユーザ保有ブックマークとして前記抽出されたブックマークから除外する手段と、除外後に残ったブックマークのブックマーク画面を生成して前記取得ユーザ端末に送信する手段と、前記取得ユーザ端末から取得情報を受信したときに前記ブックマーク画面に含まれているブックマークのファイルを抽出して送信する手段とを有する。
【００１７】
本発明の第４の管理サーバは、提供ユーザ端末と取得ユーザ端末とに接続される管理サーバであって、
ブックマーク毎の登録累積数と登録率を格納した第１のデータベースと、各取得ユーザが既に保有しているブックマークを取得ユーザ識別情報対応に予め登録している第２のデータベースと、前記提供ユーザ端末から受信したブックマークファイルを提供ユーザ識別情報対応に登録する手段と、前記提供ユーザ端末からブックマーク登録がある度に受信したブックマークを前記第１のデータベースに追加登録するとともに、追加登録後の全てのブックマーク毎に最新の登録率を算出して更新する手段と、前記取得ユーザ端末からブックマーク取得要求と取得ユーザ識別情報を受信して提供ユーザ一覧画面を送信する手段と、前記取得ユーザ端末から提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記第１のデータベースから取得し、登録率が所定値以上のブックマークについては有名ブックマークと識別する手段と、前記抽出されたブックマークが前記取得ユーザ識別情報対応に前記第２のデータベースに登録されているかを照合し、登録されていたブックマークについては取得ユーザ保有ブックマークと識別する手段と、前記有名ブックマークと前記取得ユーザ保有ブックマークを前記抽出されたブックマークから除外する手段と、除外後に残ったブックマークのブックマーク画面を生成して前記取得ユーザ端末に送信する手段と、前記取得ユーザ端末から取得情報を受信したときに前記ブックマーク画面に含まれているブックマークのファイルを抽出して送信する手段とを有する。
【００１８】
本発明の第１のブックマーク提供方法は、提供ユーザ端末と取得ユーザ端末と管理サーバとを用いたブックマーク提供方法であって、
前記提供ユーザ端末は内部に格納されたブックマークを前記管理サーバに送信，登録し、前記管理サーバは提供ユーザ毎に登録されたブックマークをＷebサイトで公開し、前記取得ユーザ端末から提供ユーザを指定して取得要求があった場合に該当ブックマークを抽出して送信することを特徴とする。
【００１９】
本発明の第２のブックマーク提供方法は、本発明の第１のブックマーク提供方法において、前記管理サーバは前記提供ユーザ端末からブックマーク登録がある度にブックマーク毎の登録累積数と登録率を算出，更新し、前記取得ユーザ端末は前記取得要求時に有名ブックマーク要，不要情報を前記管理サーバに送信し、前記管理サーバは有名ブックマーク不要情報受信時に、前記抽出したブックマークの登録率が所定値以上かを確認し、所定値以上のブックマークは有名ブックマークとして前記抽出されたブックマークから除外し、除外後に残ったブックマークを前記取得ユーザ端末に送信することを特徴とする。
【００２０】
本発明の第３のブックマーク提供方法は、本発明の第１のブックマーク提供方法において、前記管理サーバは前記取得ユーザ端末が保有しているブックマークをユーザ別に予め登録しておき、前記取得要求があったときに抽出されたブックマークの中に取得ユーザの保有ブックマークがあるかを照合し、あった場合は前記抽出されたブックマークから除外し、除外後に残ったブックマークを前記取得ユーザ端末に送信することを特徴とする。
【００２１】
本発明の第４のブックマーク提供方法は、本発明の第１のブックマーク提供方法において、前記管理サーバは前記取得ユーザ端末が保有しているブックマークをユーザ別に予め登録しておき、前記提供ユーザ端末からブックマーク登録がある度にブックマーク毎の登録累積数と登録率を算出，更新し、前記取得ユーザ端末は前記取得要求時に有名ブックマーク要，不要情報を前記管理サーバに送信し、前記管理サーバは有名ブックマーク不要情報受信時に、前記抽出したブックマークの登録率が所定値以上かを確認し、所定値以上のブックマークは有名ブックマークとして除外するとともに、前記抽出したブックマークの中に取得ユーザの保有ブックマークがあった場合は除外し、前記抽出したブックマークから有名ブックマーク，ユーザ保有ブックマークを除外した残りのブックマークを前記取得ユーザ端末に送信することを特徴とする。
【００２２】
本発明の第１のプログラムは、第１の端末から受信したブックマークファイルを提供ユーザ識別情報対応に登録する機能、第２の端末からブックマーク取得要求を受信して提供ユーザ一覧画面を送信する機能、前記一覧画面で取得ユーザから選択された提供ユーザ識別情報を受信したときに対応して登録されているブックマークを抽出しブックマーク画面を生成して前記第２の端末に送信する機能、前記第２の端末から取得情報を受信したときに前記ブックマーク画面に含まれているブックマークのファイルを抽出して送信する機能、をコンピュータに実現させる。
【００２３】
本発明の第２のプログラムは、第１の端末から受信したブックマークファイルを提供ユーザ識別情報対応に登録する機能、ブックマーク毎の登録累積数と登録率をデータベースに格納する機能、前記第１の端末からブックマーク登録がある度に受信したブックマークを前記データベースに追加登録するとともに、追加登録後の全てのブックマーク毎に最新の登録率を算出して更新する機能、第２の端末からブックマーク取得要求を受信して提供ユーザ一覧画面を送信する機能、前記第２の端末から提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記データベースから取得し、登録率が所定値以上のブックマークについては有名ブックマークとして前記抽出されたブックマークから除外する機能、除外後に残ったブックマークのブックマーク画面を生成して前記第２の端末に送信する機能、前記第２の端末から取得情報を受信したときに前記ブックマーク画面に含まれているブックマークのファイルを抽出して送信する機能、をコンピュータに実現させる。
【００２４】
本発明の第３のプログラムは、第１の端末から受信したブックマークファイルを提供ユーザ識別情報対応に登録する機能、第２の端末からブックマーク取得要求と取得ユーザ識別情報を受信して提供ユーザ一覧画面を送信する機能、各取得ユーザが既に保有しているブックマークを取得ユーザ識別情報対応にデータベースに登録する機能、前記一覧画面で取得ユーザから選択された提供ユーザ識別情報を受信したときに、前記提供ユーザ識別情報対応に登録されているブックマークを抽出するとともに、抽出されたブックマークが前記取得ユーザ識別情報対応に前記データベースに登録されているかを照合し、登録されていたブックマークについては取得ユーザ保有ブックマークとして前記抽出されたブックマークから除外する機能、除外後に残ったブックマークのブックマーク画面を生成して前記第２の端末に送信する機能、前記第２の端末から取得情報を受信したときに前記ブックマーク画面に含まれているブックマークのファイルを抽出して送信する機能、をコンピュータに実現させる。
【００２５】
本発明の第４のプログラムは、ブックマーク毎の登録累積数と登録率を第１のデータベースに格納する機能、各取得ユーザが既に保有しているブックマークを取得ユーザ識別情報対応に第２のデータベースに登録する機能、第１の端末から受信したブックマークファイルを提供ユーザ識別情報対応に登録する機能、前記第１の端末からブックマーク登録がある度に受信したブックマークを前記第１のデータベースに追加登録するとともに、追加登録後の全てのブックマーク毎に最新の登録率を算出して更新する機能、第２の端末からブックマーク取得要求と取得ユーザ識別情報を受信して提供ユーザ一覧画面を送信する機能、前記第２の端末から提供ユーザ識別情報と有名ブックマーク要，不要情報を受信したときに、前記提供ユーザ識別情報対応に登録されているブックマークを抽出するとともに、有名ブックマーク不要情報を受信した場合は前記抽出されたブックマークの登録率を前記第１のデータベースから取得し、登録率が所定値以上のブックマークについては有名ブックマークと識別する機能、前記抽出されたブックマークが前記取得ユーザ識別情報対応に前記第２のデータベースに登録されているかを照合し、登録されていたブックマークについては取得ユーザ保有ブックマークと識別する機能、前記有名ブックマークと前記取得ユーザ保有ブックマークを前記抽出されたブックマークから除外する機能、除外後に残ったブックマークのブックマーク画面を生成して前記第２の端末に送信する機能、前記第２の端末から取得情報を受信したときに前記ブックマーク画面に含まれているブックマークのファイルを抽出して送信する機能、をコンピュータに実現させる。
【発明の効果】
【００２６】
本発明は、ユーザから提供可能なブックマークをサーバに登録してもらい、ブックマーク取得希望のユーザがサーバから他のユーザのブックマークを自分のユーザ端末に取り込んで登録，使用するようにしている。これにより、他のユーザのブックマークを簡易に一括して取得することができるとともに、ブックマークの提供元を著名人とすることでブックマークの価値を上げ、有料の配信サービスが可能になるという効果が得られる。
【発明を実施するための最良の形態】
【００２７】
本発明の実施の形態について図面を参照して詳細に説明する。
【００２８】
図１は、本発明の一実施の形態の構成を示す図であり、ブックマーク提供ユーザ端末１０と、ブックマーク取得ユーザ端末２０と、ブックマーク管理サーバ３０と、これらを接続するインターネット等のネットワーク１００とを備えている。
【００２９】
ブックマーク提供ユーザ端末１０は、ブックマークを提供するユーザが使用する携帯電話機，ＰＨＳ(Personal Handyphone System)，ＰＤＡ(Personal Digital Assistance)等
の携帯情報端末や、パーソナルコンピュータ等の情報処理装置である。このブックマーク提供ユーザ端末１０は、通信部１１と、操作部１２と、表示部１３と、記憶部１４と、制御部１５とを備えている。通信部１１はネットワーク１００と接続するための通信装置であり、操作部１２はテンキー，機能キー，ポインティングデバイス等の入力装置、表示部１３はＬＣＤ(Liquid Crystal Display)等の表示装置である。記憶部１４は、ブックマーク提供ユーザ端末１０の制御プログラムやＷebブラウザアプリケーションプログラム，ブックマーク等を格納する記憶装置である。なお、ブックマークとは、記憶部１４に予め登録されたＷebサイトのアドレス（ＵＲＬ）のことであり、何度も訪れるＵＲＬについては登録されたブックマークを選択することによりアクセスすることが可能である。このブックマークは、図２（ブックマーク提供ユーザ端末１０に格納されるブックマークの一例を示す図）に示すように、ブックマーク毎にファイル化されており、表示部１３に表示する際に用いる表示名と、サイトのＵＲＬとが含まれている。また、ブックマークはディレクトリで階層的に管理されて記憶部１４に格納されている。制御部１５はＣＰＵ(Central Processing Unit)等の制御装置であり、プログラムにより動作を制御される。この制御部
１５は、ユーザからの指示により記憶部１４に格納されたブックマークを抽出して表示部１３に表示する機能と、操作部１２により選択されたブックマークを圧縮しユーザＩＤを付してブックマーク管理サーバ３０に送信する機能とを備えている。なお、ブックマーク提供ユーザ端末１０の他の詳細なハードウェアや基本的な動作については、例えば既存のパーソナルコンピュータや携帯電話機等で実現できるため、詳細な説明を省略する。
【００３０】
ブックマーク取得ユーザ端末２０は、ブックマークを取得するユーザが使用する携帯電話機，ＰＨＳ(Personal Handyphone System)，ＰＤＡ(Personal Digital Assistance)等
の携帯情報端末や、パーソナルコンピュータ等の情報処理装置である。このブックマーク取得ユーザ端末２０は、通信部２１と、操作部２２と、表示部２３と、記憶部２４と、制御部２５とを備えている。通信部２１はネットワーク１００と接続するための通信装置であり、操作部２２はテンキー，機能キー，ポインティングデバイス等の入力装置、表示部２３はＬＣＤ(Liquid Crystal Display)等の表示装置である。記憶部２４は、ブックマーク提供ユーザ端末１０の制御プログラムやＷebブラウザアプリケーションプログラム，ブックマーク等を格納する記憶装置である。制御部１５はＣＰＵ(Central Processing Unit)等の制御装置であり、プログラムにより動作を制御される。この制御部１５は、ブック
マーク管理サーバ３０にアクセスして他のユーザのブックマーク取得を要求する機能と、ブックマーク管理サーバ３０から受信した他のユーザのブックマークを展開して記憶部２４に追加登録する機能とを備えている。なお、ブックマーク取得ユーザ端末２０の他の詳細なハードウェアや基本的な動作については、例えば既存のパーソナルコンピュータや携帯電話機等で実現できるため、詳細な説明を省略する。
【００３１】
ブックマーク管理サーバ３０は、ワークステーション・サーバ等の情報処理装置であり、ネットワーク接続部３１と、制御部３２と、記憶部３３とを備えている。ネットワーク接続部３１はネットワーク１００と接続するためのインタフェース装置である。制御部３２はＣＰＵ(Central Processing Unit)等の制御装置であり、プログラムにより動作を制
御される。この制御部３１は、
・ブックマーク提供ユーザ端末１０から受信したブックマークを展開し記憶部３３に登録する機能と、
・ブックマーク提供ユーザ端末１０からブックマークを受信する度に、記憶部３３に登録されたブックマーク毎の登録率を算出する機能と、
・提供ブックマーク情報をネットワーク１００上のＷebサイトで公開する機能と、
・ブックマーク取得ユーザ端末２０からブックマーク取得要求を受けて指定されたブックマークを圧縮，送信する機能と、
・ブックマーク取得要求時に有名ブックマーク除外の要求があった場合に、登録率が所定値以上のブックマークを除外してブックマーク取得ユーザ端末２０に送信する機能と、
・ユーザの保有ブックマークを予め記憶部３３に登録しておき、ブックマーク取得要求のあったブックマークから要求元ユーザの保有ブックマークを除外してブックマーク取得ユーザ端末２０に送信する機能と、
を備えている。
【００３２】
記憶部３３は読み出し，書き込み可能な記憶装置であり、ユーザ別提供ブックマークデータベース３３１と、ブックマーク登録率データベース３３２と、ユーザ別保有ブックマークデータベース３３３とを含んでいる。ユーザ別提供ブックマークデータベース３３１には、図３（ユーザ別提供ブックマークデータベース３３１に格納されるデータの一例を示す図）に示すように、ユーザＩＤ，氏名，提供ブックマークが登録される。ブックマーク登録率データベース３３２には、図４（ブックマーク登録率データベース３３２に格納されるデータの一例を示す図）に示すように、ブックマーク，登録数，全ユーザ数，ブックマーク登録率が登録される。登録数，ブックマーク登録率についてはブックマーク毎に算出，登録されるが、全ユーザ数はブックマーク提供登録を行ったユーザの累積数であるため、全てのブックマークに共通である。なお、ブックマーク登録率は（ブックマーク毎の登録数÷全ユーザ数）で算出される。例えば、ブックマーク管理サーバ３０へのブックマーク提供ユーザがこれまでに累積で２００人とし、その内、Ａというブックマークを登録したユーザが６０人いたとすると、ブックマークＡの登録率は６０÷２００＝０．３（３０％）となる。ユーザ別保有ブックマークデータベース３３３には、図５（ユーザ別保有ブックマークデータベース３３３に格納されるデータの一例を示す図）に示すように、ユーザＩＤと保有ブックマークとが対応付けられて登録されている。この保有ブックマークとは、ブックマーク取得要求元ユーザのブックマーク取得ユーザ端末２０に登録されている全てのブックマークのことであり、予めブックマーク管理サーバ３０に登録される。
【００３３】
次に、本発明の一実施の形態の動作について説明する。最初に、ブックマーク提供ユーザによるブックマーク登録時の動作について図１〜図４，図６および図７を参照して説明する。なお、図６は本発明の一実施の形態におけるブックマーク提供登録時の動作を示すフローチャートであり、図７は提供ブックマークの選択，登録画面を示す図である。
【００３４】
図６を参照すると、提供ブックマークの登録をしたいユーザは、まず、ブックマーク提供ユーザ端末１０からブックマーク管理サーバ３０にアクセスする。そして、ブックマーク管理サーバ３０から受信したユーザ登録メニュー画面上に操作部１２を介してユーザから入力されたユーザＩＤと氏名を、ブックマーク管理サーバ３０に送信する（ステップＡ１）。ブックマーク管理サーバ３０の制御部３２は受信したユーザＩＤ，氏名をユーザ別提供ブックマークデータベース３３１に登録する（図３参照）（ステップＡ２）。その後、制御部３２はブックマークアプリケーションプログラムをブックマーク提供ユーザ端末１０に送信する（ステップＡ３）。ブックマーク提供ユーザ端末１０の制御部１５は受信したブックマークアプリケーションプログラムを記憶部１４に格納しておく（ステップＡ４）。ここまでが、ブックマーク提供登録を行う前の事前処理である。
【００３５】
次に、ブックマーク提供登録時の動作について説明する。
【００３６】
まず、ユーザはブックマーク提供ユーザ端末１０において、ブックマークアプリケーションプログラムを起動する。以下、制御部１５はこのブックマークアプリケーションプログラムにより動作を制御される。ブックマークアプリケーションプログラムが起動されると、制御部１５はメニュー画面を表示部１３に表示する。ユーザが操作部１２から画面上の提供登録メニューを選択すると、制御部１５は記憶部１４に格納されているブックマークを読み出し（図２参照）、図７に示すようなブックマーク選択画面を生成して表示部１３に表示する（ステップＡ５）。ユーザはブックマーク選択画面上でブックマーク管理サーバ３０への登録を許可するブックマークを操作部１２により選択し、制御部１５は選択されたブックマーク対応に「レ」点を表示する。図７においては、一つのブックマーク（あいさんのブログ）を除いて登録を許可したＡさんの場合と、全てのブックマークの登録を許可したＢさんの場合とを例示している。
【００３７】
登録を許可するブックマークの選択を終了したユーザは、画面上の登録ボタンを操作部１２により押下する。登録ボタンが押下されると（ステップＡ６）、制御部１５は登録を許可するブックマークが選択されているかを確認する（ステップＡ７）。一つも選択されていなかった場合は、制御部１５は選択されていない旨を表示部１３に表示し、ユーザに注意を促す（ステップＡ８）。一つ以上選択されていた場合は、制御部１５は選択されたブックマークのファイルを一つのファイルにまとめて圧縮するとともに、予め記憶部１４に格納されたユーザＩＤを取得する。そして、制御部１５は生成した圧縮ファイルとユーザＩＤをブックマーク管理サーバ３０に送信する（ステップＡ９）。
【００３８】
ブックマーク管理サーバ３０の制御部３２は、受信した圧縮ファイルを展開し、受信したユーザＩＤ対応にユーザ別提供ブックマークデータベース３３１に格納する（図３参照）（ステップＡ１０）。次に、制御部３２は展開したブックマークをブックマーク登録率データベース３３２に登録する（図４参照）。このとき、制御部３２は、ブックマーク登録率データベース３３２に登録されていないブックマークの場合はブックマークを新たに追加して登録数を１とし、すでに登録されているブックマークの場合は該当ブックマークの登録数に１を追加して更新する。また、全ユーザ数については１を追加して更新する。そして、制御部３２は、ブックマーク登録率データベース３３２に登録されている全てのブックマーク毎に、ブックマーク登録率（登録数÷全ユーザ数）を算出して登録，更新する（ステップＡ１１）。その後、制御部３２は登録終了をブックマーク提供ユーザ端末１０に通知し（ステップＡ１２）、ブックマーク提供ユーザ端末１０の制御部１５は受信した登録終了通知を表示部１３に表示する（ステップＡ１３）。
【００３９】
次に、ブックマーク取得ユーザによるブックマーク取得時の動作について図１，図３〜図５，図７〜図１０を参照して説明する。なお、図８は本発明の一実施の形態におけるブックマーク取得時の動作を示すフローチャートであり、図９は提供ブックマーク一覧画面およびブックマーク取得画面を示す図、図１０はブックマーク取得ユーザ端末２０に登録されたブックマークを示す図である。なお、ブックマーク取得ユーザ端末２０には、ブックマーク管理サーバ３０から別途受信したブックマークアプリケーションプログラムが格納されているものとする。
【００４０】
図８を参照すると、ブックマークの取得をしたいユーザは、まず、ブックマーク取得ユーザ端末２０においてブックマークアプリケーションプログラムを起動する。以下、制御部２５はこのブックマークアプリケーションプログラムにより動作を制御される。ブックマークアプリケーションプログラムが起動されると、制御部２５はメニュー画面を表示部２３に表示する。ユーザが操作部２２から画面上の保有ブックマーク登録メニューを選択すると、制御部２５は記憶部２４に格納されているブックマークを読み出して一つのファイルにまとめて圧縮するとともに、予め記憶部２４に格納されたユーザＩＤを取得する。そして、制御部２５は圧縮ファイルとユーザＩＤをブックマーク管理サーバ３０に送信する（ステップＢ１）。ブックマーク管理サーバ３０の制御部３２は受信した圧縮ファイルを展開し、ユーザＩＤ対応にユーザ保有ブックマークをユーザ別保有ブックマークデータベース３３３に登録する（図５参照）（ステップＢ２）。ここまでが、ブックマーク取得を行う前の事前処理である。
【００４１】
次に、ブックマーク取得時の動作について説明する。
【００４２】
まず、ユーザはブックマーク取得ユーザ端末２０においてブックマークアプリケーションプログラムを起動する。ブックマークアプリケーションプログラムが起動されると、制御部２５はメニュー画面を表示部２３に表示する。ユーザが操作部２２から画面上のブックマーク取得メニューを選択すると、制御部２５はブックマーク管理サーバ３０がネットワーク１００上に開設しているブックマーク取得のためのＷebサイトにアクセスする。そして、ユーザは表示部２３に表示された画面上でユーザＩＤを入力するとともに、ブックマーク取得メニューを選択する（ステップＢ３）。ブックマーク管理サーバ３０の制御部３２は、図９の画面１に示すようなブックマーク一覧画面をブックマーク取得ユーザ端末２０に送信する（ステップＢ４）。
【００４３】
ユーザはブックマーク一覧画面において、有名ブックマーク要，不要のいずれかを操作部２２により選択する（ステップＢ５）。次に、ユーザはブックマークを参照したいユーザ（ブックマーク一覧画面における「Ａさんのブックマーク」等）を操作部２２により選択する（ステップＢ６）。そして、制御部２５は有名ブックマーク要，不要情報と提供ユーザ情報をブックマーク管理サーバ３０に送信する（ステップＢ７）。
【００４４】
ブックマーク管理サーバ３０の制御部３２は、受信した提供ユーザのブックマークをユーザ別提供ブックマークデータベース３３１から抽出する（図３参照）（ステップＢ８）。次に、制御部３２は有名ブックマークの要，不要を確認し（ステップＢ９）、不要であった場合はブックマーク登録率データベース３３２を参照し、ステップＢ８で抽出したブックマークの登録率を取得する（図４参照）。制御部３２は、登録率が所定値以上（例えば、７０％以上）のブックマークについては有名ブックマークと判断し、ステップＢ８で抽出したブックマークから除外する（ステップＢ１０）。次に、制御部３２はユーザ別保有ブックマークデータベース３３３を参照し、受信したユーザＩＤ対応に登録されているユーザ保有ブックマークを取得する（図５参照）（ステップＢ１１）。そして、制御部３２は、ステップＢ１０で除外した残りのブックマークの中にユーザ保有ブックマークと同じものがあれば、それも除外する。なお、ステップＢ９において、有名ブックマークが不要でなかった場合は、制御部３２は、ステップＢ８で抽出したブックマークからユーザ保有ブックマークと同じものだけを除外することになる（ステップＢ１２）。制御部３２は、ステップＢ１２で残ったブックマークの表示画面を生成し、ブックマーク取得ユーザ端末２０に送信する（ステップＢ１３）。
【００４５】
ブックマーク取得ユーザ端末２０の制御部２５は、受信した表示画面を表示部２３に表示する。図９に示す画面２，画面３は表示画面の一例である。画面２はユーザが「Ａさんのブックマーク」と「有名ブックマーク要」を選択した場合に表示され、Ａさんが提供登録したブックマーク（図７参照）が全て表示されている。画面３は「Ｂさんのブックマーク」と「有名ブックマーク不要」が選択された場合に表示され、Ｂさんが提供登録したブックマーク（図７参照）の内、「ＸＸサーチ」と「○○ポータル」が有名ブックマークとして除外されている（ステップＢ１４）。ユーザは表示画面上でブックマークを参照し、取得する，取得しないのいずれかのボタンを押下する（ステップＢ１５）。制御部２５は、取得する方のボタンが押下された場合は取得する旨の情報を、取得しない方のボタンが押下された場合は取得しない旨の情報を、それぞれブックマーク管理サーバ３０に送信する（ステップＢ１６）。
【００４６】
ブックマーク管理サーバ３０の制御部３２は、取得する旨の情報を受信した場合は（ステップＢ１７）、表示されているブックマークのファイルを一つのファイルにまとめて圧縮し、記憶部３３の図示しない領域に一時保存する（ステップＢ１８）。この後、制御部３２は表示画面をブックマーク一覧画面（図９の画面１参照）に戻してブックマーク取得ユーザ端末２０に送信する（ステップＢ１９）。なお、取得しない旨の情報を受信した場合は（ステップＢ１７）、制御部３２は表示画面をブックマーク一覧画面に戻してブックマーク取得ユーザ端末２０に送信する（ステップＢ１９）。
【００４７】
ユーザは表示部２３に表示されたブックマーク一覧画面を参照し、他にブックマークを取得したい提供ユーザがあるかを確認する（ステップＢ２０）。ある場合は、ユーザは画面上で操作部２２により提供ユーザを選択する。そして、これ以降はステップＢ７に戻り、ステップＢ７〜ステップＢ２０の動作を繰り返す。一方、他にブックマークを取得したい提供ユーザがない場合は、ユーザは操作部２２により画面上の終了ボタンを押下する。終了ボタンが押下されると（ステップＢ２１）、制御部２５は取得終了情報をブックマーク管理サーバ３０に送信する（ステップＢ２２）。取得終了情報を受信したブックマーク管理サーバ３０の制御部３２は、ステップＢ１８で一時保存されたブックマークの圧縮ファイルをブックマーク取得ユーザ端末２０に送信する（ステップＢ２３）。ブックマーク取得ユーザ端末２０の制御部２５は受信した圧縮ファイルを展開し、記憶部２４の図示しないブックマーク登録領域に追加登録する。追加登録されたブックマークは、図１０に示すように、例えば、「Ａさんのブックマーク」というディレクトリとして記憶部２４に展開される。画面上では、「Ａさんのブックマーク」を操作部２２によりクリックすると、中に含まれているブックマークが表示される（ステップＢ２４）。また、ステップＢ２３に続き、ブックマーク管理サーバ３０の制御部３２は、一時保存したブックマークの圧縮ファイルを展開し、ユーザ別保有ブックマークデータベース３３３の該当ユーザＩＤ対応の保有ブックマークとして追加登録する（ステップＢ２５）。
【００４８】
以上説明したように、本実施の形態においては、ユーザから提供可能なブックマークをサーバに登録してもらい、ブックマーク取得希望のユーザがサーバから他のユーザのブックマークを自分のユーザ端末に取り込んで登録，使用するようにしている。これにより、他のユーザのブックマークを簡易に一括して取得することができるとともに、ブックマークの提供元を著名人とすることでブックマークの価値を上げ、有料の配信サービスが可能になるという効果が得られる。
【００４９】
また、本実施の形態においては、有名ブックマークや自分が既に保有しているブックマークについては除外することができるため、ユーザにとって効率的なブックマークの取得ができるという効果が得られる。
【００５０】
次に、本発明の応用例，変形例等について説明する。
【００５１】
・上述した一実施の形態においては、ブックマーク取得時にユーザ保有ブックマークを自動的に除外するとともに、有名ブックマークについても除外指定があれば除外するとして説明した。すなわち、有名ブックマーク，ユーザ保有ブックマークの両方とも除外することが可能である。これに対し、以下に示す応用例も可能である。
（１）有名ブックマークのみ除外する。
この場合は、ユーザ保有ブックマークを考慮する必要がないため、図１，図５に示すユーザ別保有ブックマークデータベース３３３が不要になるとともに、図８におけるステップＢ１，Ｂ２，Ｂ１１，Ｂ１２，Ｂ２５の動作が削除される。
（２）ユーザ保有ブックマークのみ除外する。
この場合は、有名ブックマークを考慮する必要がないため、図１，図４に示すブックマーク登録率データベース３３２が不要になるとともに、図８におけるステップＢ５，Ｂ９，Ｂ１０の動作が削除される。
（３）有名ブックマーク，ユーザ保有ブックマークの両方とも除外しない。
この場合は、有名ブックマーク，ユーザ保有ブックマークの両方を考慮する必要がないため、図１，図４に示すブックマーク登録率データベース３３２、図１，図５に示すユーザ別保有ブックマークデータベース３３３が不要になるとともに、図８におけるステップＢ１，Ｂ２，Ｂ５，Ｂ９，Ｂ１０，Ｂ１１，Ｂ１２，Ｂ２５の動作が削除される。
（４）上記の（１）〜（３）および一実施の形態で述べた除外パターン（有名ブックマーク，ユーザ保有ブックマークの両方とも除外する）の４パターンのいずれのパターンとするかをユーザが指定する。
この場合は、図８のステップＢ５および図９の画面１における有名ブックマーク要，不要の選択を上記４パターンの選択に置き換え、ステップＢ７における有名ブックマーク要，不要情報をパターン選択情報（いずれのパターンが選択されたかの情報）に置き換える。そして、ステップＢ８とステップＢ９の間に新たに、ブックマーク管理サーバ３０の制御部３２はパターン選択情報により選択されたパターンを識別する（ステップ８Ａ）、の動作を追加する。この後、一実施の形態で述べたパターンが選択された場合はステップＢ９に進み、以降の動作を図８のフローチャートのまま実行する。（１）のパターンが選択された場合はステップＢ９に進み、以降、ステップＢ１１，Ｂ１２，Ｂ２５の動作を削除する以外は図８のフローチャートのまま実行する。（２）のパターンが選択された場合はステップＢ１１に進み（ステップＢ９，Ｂ１０は削除）、以降、図８のフローチャートのまま実行する。（３）のパターンが選択された場合はステップＢ１３に進み（ステップＢ９〜ステップＢ１２は削除）、以降、ステップＢ２５の動作を削除する以外は図８のフローチャートのまま実行する。
【００５２】
・上述した一実施の形態においては、ブックマーク提供，取得に関わる料金の決済については説明していないが、ブックマークを有料で提供するようにしてもよい。この場合は、ブックマーク管理サーバ３０において提供ユーザ別に料金を登録しておき、図９の画面１においても提供ユーザ別料金を表示するようにする。そして、取得ユーザによるブックマークの取得が行われたときに、取得ユーザから料金を徴収し、提供ユーザに料金を支払う。提供ユーザに支払う料金は取得ユーザから徴収した料金と同額であってもよいし、少なくてもよい。また、徴収，支払の方法については特に限定しないが、例えば、ユーザの金融機関口座情報等をユーザＩＤに対応付けてブックマーク管理サーバ３０に予め登録しておき、ブックマーク管理サーバ３０から図示しない金融機関サーバに振込決済処理を依頼してもよい。
【図面の簡単な説明】
【００５３】
【図１】本発明の一実施の形態の構成を示す図である。
【図２】ブックマーク提供ユーザ端末１０に格納されるブックマークの一例を示す図である。
【図３】ユーザ別提供ブックマークデータベース３３１に格納されるデータの一例を示す図である。
【図４】ブックマーク登録率データベース３３２に格納されるデータの一例を示す図である。
【図５】ユーザ別保有ブックマークデータベース３３３に格納されるデータの一例を示す図である。
【図６】本発明の一実施の形態におけるブックマーク提供登録時の動作を示すフローチャートである。
【図７】提供ブックマークの選択，登録画面を示す図である。
【図８】本発明の一実施の形態におけるブックマーク取得時の動作を示すフローチャートである。
【図９】提供ブックマーク一覧画面およびブックマーク取得画面を示す図である。
【図１０】ブックマーク取得ユーザ端末２０に登録されたブックマークを示す図である。
【符号の説明】
【００５４】
１０    ブックマーク提供ユーザ端末
１１    通信部
１２    操作部
１３    表示部
１４    記憶部
１５    制御部
２０    ブックマーク取得ユーザ端末
２１    通信部
２２    操作部
２３    表示部
２４    記憶部
２５    制御部
３０    ブックマーク管理サーバ
３１    ネットワーク接続部
３２    制御部
３３    記憶部
３３１    ユーザ別提供ブックマークデータベース
３３２    ブックマーク登録率データベース
３３３    ユーザ別保有ブックマークデータベース
【図１】
2008171295.tif 000003
【図２】
2008171295.tif 000004
【図３】
2008171295.tif 000005
【図４】
2008171295.tif 000006
【図５】
2008171295.tif 000007
【図６】
2008171295.tif 000008
【図７】
2008171295.tif 000009
【図８】
2008171295.tif 000010
【図９】
2008171295.tif 000011
【図１０】
2008171295.tif 000012